(57)【要約】【課題】簡単な操作でタスク管理を行うことができるマルチタスク処理が可能な携帯端末を提供することを目的とする。【解決手段】２以上のアプリケーション１０６ａ〜１０６ｃを並列して実行可能なマルチタスク携帯端末１において、択一的に選択されたアプリケーションにより表示制御が行われる画面表示部２と、実行中の各アプリケーション１０６ａ〜１０６ｃの動作状態を示すタスクリストを画面表示部２に表示させるリスト表示処理部１０４と、画面表示部２の表示制御を行うアプリケーションをタスクリストから選択するタスク切替処理部１０１とを備えたことを特徴とするマルチタスク携帯端末。【選択図】　　　　図２
2004062369.tif 000002
【特許請求の範囲】
【請求項１】
２以上のアプリケーションを並列して実行可能なマルチタスク携帯端末において、択一的に選択されたアプリケーションにより表示制御が行われる画面表示部と、実行中の各アプリケーションの動作状態を示すタスクリストを画面表示部に表示させるリスト表示処理部と、画面表示部の表示制御を行うアプリケーションをタスクリストから選択するタスク切替処理部とを備えたことを特徴とするマルチタスク携帯端末。
【請求項２】
上記画面表示部は、択一的に選択されたアプリケーションにより表示領域の過半領域が占有されることを特徴とする請求項１に記載のマルチタスク携帯端末。
【請求項３】
各アプリケーションの動作状態を保持する動作状態テーブルをさらに備え、
上記リスト表示処理部は、タスクボタンの操作に基づいて、動作状態テーブルからタスクリストを生成し、画面表示部に表示させることを特徴とする請求項１に記載のマルチタスク携帯端末。
【請求項４】
２以上のアプリケーションが並行して通信処理を実行可能な携帯通信端末において、択一的に選択されたアプリケーションにより表示制御が行われる画面表示部と、実行中の各アプリケーションの動作状態を示すタスクリストを画面表示部に表示させるリスト表示部とを備えたことを特徴とする携帯通信端末。
【請求項５】
上記画面表示部は、択一的に選択されたアプリケーションにより表示領域の過半領域が占有されることを特徴とする請求項４に記載の携帯通信端末。
【請求項６】
上記リスト表示部が、実行中の各アプリケーションの通信状態を表示することを特徴とする請求項４に記載の携帯通信端末。
【請求項７】
画面表示部の表示制御を行うアプリケーションをタスクリストから選択するタスク切替部を備えたことを特徴とする請求項４に記載の携帯通信端末。
【請求項８】
各アプリケーションの動作状態を保持する動作状態テーブルを備え、
上記リスト表示部は、タスクボタンの操作に基づいて、動作状態テーブルを用いて作成したタスクリストを画面表示部に表示させることを特徴とする請求項４に記載の携帯通信端末。
【発明の詳細な説明】
【０００１】
【発明の属する技術分野】
本発明は、マルチタスク携帯端末及び携帯通信端末に係り、さらに詳しくは、小型の画面表示部を有しマルチタスク処理が可能な携帯端末、例えば携帯電話機におけるタスク切替時の操作性の改良に関する。
【０００２】
【従来の技術】
図６は、従来の情報端末、いわゆるＰＣ（Ｐｅｒｓｏｎａｌ　Ｃｏｍｐｕｔｅｒ）によるタスクリスト表示の一例を示した図であり、ＷＩＮＤＯＷＳ（登録商標）２０００のタスクマネージャーによって表示されるウインドウが示されている。図中の２００はタスクリスト表示部、２０１はフォーカス、２０２はタスク終了ボタン、２０３はタスク切替ボタン、２０４はタスク起動ボタンである。
【０００３】
最近のＰＣは、そのほとんどがＷＩＮＤＯＷＳ（登録商標）等のＯＳ管理下でマルチタスク処理を行っており、ＰＣの利用者が所定のキー操作（ＷＩＮＤＯＷＳ（登録商標）用ＰＣではＣｔｒｌキー、Ａｌｔキー、Ｄｅｌキーの同時押下）を行うことにより、ディスプレイ装置の表示画面内に図６に示したウインドウを表示させることができる。
【０００４】
当該ウインドウ内のタスクリスト表示部２００には、実行中の各アプリケーションの名称がファイル名等により表示されており、利用者は、このタスクリストによって実行中のアプリケーションを確認することができる。また、フォーカス２０１を移動させてアプリケーションを選択し、ボタン２０２〜２０４を操作することにより、アプリケーションを終了し、アクティブ化されたアプリケーションを切り替え、あるいは、新たなアプリケーションを起動することができる。
【０００５】
また、図７は、従来の携帯情報端末、いわゆるＰＤＡ（Ｐｅｒｓｏｎａｌ　Ｄｉｇｉｔａｌ　Ａｓｓｉｓｔａｎｔ）によるタスクリスト表示の一例を示した図である。図中の３００はＰＤＡ本体、３０１はタスクボタン、３０２は液晶表示部である。ＰＣと同様、ＰＤＡもＯＳ管理下でマルチタスク処理を行っており、利用者がタスクボタン３０１を操作することにより、実行中の各アプリケーションの名称からなるタスクリストが液晶表示部３０２に表示される。利用者は、このタスクリストによって、実行中のアプリケーションを確認することができる。
【０００６】
一般に、マルチタスク処理を行う情報端末では、選択された１つのアプリケーションのみがアクティブ化され、画面表示部やキー入力部などのユーザインターフェースの主要部を占有する。そして、他のアプリケーションは、バックグランドで実行処理されるため、利用者が、直接その動作状況を確認し、あるいは、制御することはできない。
【０００７】
この様な事情から、マルチタスク情報端末は、ＰＣ及びＰＤＡのいずれの場合も、上記タスクリストからアクティブ化したいアプリケーションを選択することによって、任意のアプリケーションをアクティブ化するタスク切替の機能を有している。また、実行中のアプリケーションの終了等も、同様にして、タスクリストを表示させて所望のアプリケーションを選択することによって行うことができる。
【０００８】
なお、本明細書では、アプリケーション及びタスクの語を、特定機能を実現するためのプログラム実行処理を示す同義語とし、区別することなく用いている。
【０００９】
【発明が解決しようとする課題】
上述した通り、従来の情報処理端末において、タスクリストとして表示されるのは実行中のアプリケーションを示す名称（例えばファイル名）であった。このため、当該タスクリストに表示されたアプリケーションが起動中であることは確認できるが、各アプリケーションがどの様な実行状況にあるのかは確認することができず、利用者は、各アプリケーションの実行状況に応じてタスク切替等を行うことができないという問題があった。すなわち、従来のタスクリストは、タスク切替等の対象となる選択肢としてアプリケーション名を示すのみであって、各アプリケーションの動作状況に関する情報を提示していなかった。
【００１０】
例えば、利用者が、各アプリケーションの動作状況を比較検討して、タスク切替を行おうとする場合であれば、検討対象となるアプリケーションを順にアクティブ化させて動作状況を確認する必要がある。この場合、何度もタスクリストを表示させ、アプリケーションを選択する必要があり、煩雑な操作を行う必要があった。
【００１１】
さらに、ＰＣのような情報端末の場合、一般にディスプレイ画面が広く、ＷＩＮＤＯＷＳ（登録商標）のようなＧＵＩを備えていれば、多数のアプリケーションについてそれぞれの動作状況を容易に確認することもできる。しかしながら、ＰＤＡや携帯電話機等のような携帯端末では、一般にディスプレイ画面が狭く、１つのアプリケーションがディスプレイ画面の主要部を占有する場合が多い。このため、これらの携帯端末においてマルチタスク処理を行う場合であれば、上述した様に、利用者が、順次にアプリケーションを切り替えて、動作状況を確認する必要が生ずる。
【００１２】
特に、携帯電話機の場合、ディスプレイ画面が極めて狭いため、選択された１つのアプリケーションが表示画面を占有し、かつ、操作性もＰＣやＰＤＡに比べて劣ることから、マルチタスク化にともなって各アプリケーションの動作状況を確認する際の操作性が問題となる。
【００１３】
例えば、最近の携帯電話機ＦＯＭＡ　Ｎ２００１，Ｎ２００２では、通話機能とブラウザ機能とのマルチタスクを実現しているが、バックグランドで実行されているアプリケーションは、それが起動していることをアイコンで表示するのみである（「ＦＯＭＡ」は株式会社エヌ・ティ・ティ・ドコモの登録商標である）。種々のアプリケーションが並列実行されるマルチタスク環境下において、このような表示だけでは、一体どの様なアプリケーションが起動され、それぞれがどの様な動作状況であるのかを利用者が判断することは困難である。
【００１４】
図８は、マルチタスク処理可能な従来の携帯電話機の表示画面の一例を示した図である。通話及びｉモード用ブラウザが並列処理され、通話アプリケーションがアクティブ化され、ブラウザアプリケーションがバックグランドで実行されているものとする（「ｉモード」は株式会社エヌ・ティ・ティ・ドコモの登録商標である）。この場合、通話アプリケーションが、画面表示部２の主要部の表示制御を行い、ブラウザアプリケーションが、画面表示部２の一部に実行中であることを示すアイコンＣを表示する。
【００１５】
この様にＩＭＴ（Ｉｎｔｅｒｎａｔｉｏｎａｌ　Ｍｏｂｉｌｅ　Ｔｅｌｅｃｏｍｍｕｎｉｃａｔｉｏｎ）２０００の通信方式に対応した最近の携帯電話機では、２以上の通信処理を並列して実行可能であり、複数の通信アプリケーションを並列動作させることができる。このような通信アプリケーションのマルチタスク処理を行う場合、各アプリケーションの通信状況に応じてタスク切替可能であることが求められる。しかしながら、各通信アプリケーションの通信状態を把握するには、各通信プリケーションについて順次にタスク切替を実際に行って、それぞれの動作状態を確認する煩雑な操作を行う他ないという問題があった。
【００１６】
さらに、各通信アプリケーションにイベントを発生させ、当該イベントに基づいて画面表示を行えば、バックグランドで実行中の通信アプリケーションについても通信状況を把握することができる。しかしながら、この様な方法を採用すれば、ソフトウエアが複雑化するという問題があった。
【００１７】
本発明は、上記の事情に鑑みてなされたものであり、利用者が簡単な操作でタスク管理を行うことができるマルチタスク処理が可能な携帯端末及び携帯通信端末を提供することを目的とする。また、本発明は、簡単な操作で実行中の各アプリケーションの動作状態を表示することができるマルチタスク処理が可能な携帯通信端末を提供することを目的とする。さらに、本発明は、利用者が簡単な操作で通信アプリケーションのタスク切替等を行うことができるマルチタスク処理が可能な携帯通信端末を提供することを目的とする。
【００１８】
【課題を解決するための手段】
請求項１に記載の本発明によるマルチタスク携帯端末は、２以上のアプリケーションを並列して実行可能なマルチタスク携帯端末において、択一的に選択されたアプリケーションにより表示制御が行われる画面表示部と、実行中の各アプリケーションの動作状態を示すタスクリストを画面表示部に表示させるリスト表示処理部と、画面表示部の表示制御を行うアプリケーションをタスクリストから選択するタスク切替処理部とを備えて構成される。このような構成により、タスクリストを表示させて、各アプリケーションの動作状態を確認することができる。
【００１９】
請求項２に記載の本発明によるマルチタスク携帯端末は、上記画面表示部は、択一的に選択されたアプリケーションにより表示領域の過半領域が占有されるように構成される。この様なマルチタスク携帯端末において、実行中の各アプリケーションの動作状態からなるタスクリストを表示させることは特に好適である。
【００２０】
請求項３に記載の本発明によるマルチタスク携帯端末は、各アプリケーションの動作状態を保持する動作状態テーブルをさらに備え、上記リスト表示処理部は、タスクボタンの操作に基づいて、動作状態テーブルからタスクリストを生成し、画面表示部に表示させるように構成される。
【００２１】
請求項４に記載の本発明による携帯通信端末は、２以上のアプリケーションが並行して通信処理を実行可能な携帯通信端末において、択一的に選択されたアプリケーションにより表示制御が行われる画面表示部と、実行中の各アプリケーションの動作状態を示すタスクリストを画面表示部に表示させるリスト表示部とを備えて構成される。
【００２２】
請求項５に記載の本発明による携帯通信端末は、上記画面表示部が、択一的に選択されたアプリケーションにより表示領域の過半領域が占有されるように構成される。
【００２３】
請求項６に記載の本発明による携帯通信端末は、上記リスト表示部が、実行中の各アプリケーションの通信状態を表示するように構成される。このような構成により、タスクリストを表示させて、各アプリケーションの通信状態を確認することができる。
【００２４】
請求項７に記載の本発明による携帯通信端末は、画面表示部の表示制御を行うアプリケーションをタスクリストから選択するタスク切替部を備えて構成される。この様な構成により、各アプリケーションの動作状態を考慮して、タスク切替を行うことができる。
【００２５】
請求項８に記載の本発明による携帯通信端末は、各アプリケーションの動作状態を保持する動作状態テーブルを備え、上記リスト表示部が、タスクボタンの操作に基づいて、動作状態テーブルを用いて作成したタスクリストを画面表示部に表示させるように構成される。
【００２６】
【発明の実施の形態】
実施の形態１．
図１は、本発明の実施の形態１による携帯電話機の外観の一例を示した図である。図中の１は携帯電話機、２は画面表示部、３はＳＷキー、４はタスクボタン、５はダイヤルキー、６は受話器、７は送話器、８はアンテナである。画面表示部２は、静止画、動画、文字などを表示する表示手段であり、通常は、小型化及び軽量化が容易な液晶表示装置が用いられる。
【００２７】
ＳＷ（ソフトウエア）キー３は、画面表示部２に隣接して配置され、画面表示部２内に各キーに対応する操作案内が表示される操作キーであり、ここでは３つのＳＷキーが設けられている。中央のＳＷキーは、少なくとも２方向（ここでは上下方向）への押圧操作により移動入力を行うことができ、押下操作により決定入力を行うことができる入力操作キー（選択キー）である。タスクボタン４は、押下操作によってタスクリストを表示させるための入力操作キーである。ダイヤルキー５は、「０」〜「９」、「♯」、「＊」が割り当てられたダイヤル入力などに用いられる入力操作キーである。
【００２８】
受話器６は、通話時の受話音声を出力するためのスピーカからなり、送話器７は通話時の送話音声を入力するためのマイクロフォンからなる。アンテナ８は、セルラー無線基地局（不図示）との間で通信を行う際に用いられる。また、この携帯電話機１は、図示しないＩＲ通信のための赤外線送受光部を備えている。
【００２９】
図２は、図１の携帯電話機１の要部の一構成例を示したブロック図である。図中の２は画面表示部、３はＳＷキー、４はタスクボタン、６はスピーカ、７はマイクロフォン、８はアンテナ、１０は制御部、１１は無線部、１２は動作状態テーブルである。
【００３０】
制御部１０は、携帯電話機１の動作制御を行うマイクロプロセッサにより構成され、画面表示部２等の制御をプログラムに基づいて行っている。無線部１１は、アンテナ８を介して無線通信を行うための送受信回路等からなる。動作状態テーブル１２は、実行中のアプリケーションごとの動作状態に関する情報からなるデータテーブルであり、半導体メモリ等の記憶装置に記憶保持されている。
【００３１】
制御部１０は、さらにタスクリスト表示やタスク切替等を行うタスク管理部１００と、画面表示部２等の制御を行う入出力制御部１０５と、アプリケーションプログラムの実行処理を行うアプリケーション実行処理部１０６により構成される。
【００３２】
アプリケーション実行処理部１０６は、様々なアプリケーションプログラム（アプリケーション）からなる。例えば、通話、インターネット・イントラネット・ｉモード上のサイト等を閲覧するためのブラウザ、ＩＲ（赤外線）通信、外部接続機器との有線通信、ネットワークサービス（留守番電話サービス等の設定・状態確認）のための通信、スケジュール管理、電話帳管理等を行うためのアプリケーションプログラムからなる。これらのアプリケーションのうち、通信処理を行うための通信アプリケーションは、無線部１１や図示しない赤外線送受光部などの制御を行っている。
【００３３】
アプリケーション１０６ａ〜１０６ｃは、並列実行中のプログラムであり、通常、アクティブ化されたいずれか１つのアプリケーションのみが、入出力制御部１０５を介して、画面表示部２、スピーカ６及びマイクロフォン７による入出力を制御している。このため、アクティブ化されたアプリケーションが画面表示部２を占有している。また、各アプリケーション１０６ａ〜１０６ｃは、それぞれの動作状態が変化するたびに、その動作状態を動作状態テーブル１２へ書き込んでいる。
【００３４】
入出力制御部１０５は、アプリケーション実行処理部１０６及びタスク管理部１００の制御に基づいて、画面表示部２、スピーカ６及びマイクロフォン７の制御を行っている。すなわち、アプリケーション実行処理部１０６で実行中のアプリケーション１０６ａ〜１０６ｃ又はタスク管理部１００が、入出力制御部１０５を介して画面表示部２の表示制御を行っている。
【００３５】
タスク管理部１００は、タスク管理を行うプログラムであり、通常はＯＳ（オペレーティングシステム）の一部として提供される。このタスク管理部１００は、アプリケーション選択部１０２、フォーカス移動処理部１０３及びリスト表示部１０４からなる。
【００３６】
リスト表示部１０４は、タスクボタン４の押下操作を検出して、画面表示部２にタスクリストを表示させる。このタスクリストは、動作中の各アプリケーションの動作状態からなり、画面表示部２を占有する。リスト表示部１０４は、動作状態テーブル１２に保持されている動作状態を読み出してタスクリストを作成し、入出力制御部１０５を介して画面表示部２に表示させる。
【００３７】
タスクリストでは、アプリケーションに対応したいずれか１つの表示項目にフォーカスＦが当てられている。フォーカスＦが当てられた表示項目は、カーソル表示、反転表示、点滅表示等として利用者により認識可能に表示される。フォーカス移動処理部１０３は、中央のＳＷキーの上下方向への押圧操作を検出して、タスクリスト内のフォーカスＦを他の表示項目に移動させる。なお、フォーカス移動時には、必要に応じてタスクリストのスクロールが行われる。
【００３８】
アプリケーション選択部１０２は、中央のＳＷキーの押下操作を検出して、タスク切替を行う。すなわち、その時、フォーカスＦが当てられているアプリケーションをアクティブ化し、当該アプリケーションに画面表示部２を占有させる。この様にして、フォーカス移動処理部１０３及びアプリケーション選択部１０２からなるタスク切替部１０１によって、タスク切替が行われる。
【００３９】
次に、この携帯電話機１の動作について説明する。図３の（ａ）〜（ｄ）は、図１の携帯電話機におけるタスク切替時の様子の一例を示した図である。（ａ）はタスク切替の操作前の状態を示した図であり、ここでは、通話中のため、画面表示部２が通話アプリケーションによって占有され、「通話中」の表示及びアニメーション表示が行われているものとする。
【００４０】
この状態で、利用者がタスクボタン４を操作すると、画面表示部２にはタスクリストが表示される。ここでは実行中のアプリケーションの通信状態として「メッセージ受信中」、「問合中」、「通話中」、「ＳＭＳ受信中」、「スケジュール一覧表示中」が表示される。最初のフォーカスＦは「通話中」に当てられている（図中の（ｂ））。
【００４１】
例えば、ｉモードを利用中であってブラウザ表示にともなうパケット通信中であれば「サイト接続中」という表示が行われる。また、有線接続された外部機器を通じてパケット通信中であれば「外部機器、パケット通信中」という表示が行われる。なお、通信アプリケーションの場合には、その通信状態が表示され、その他のアプリケーションの場合には、通話状態以外の動作状態が表示されるものとする。
【００４２】
このような動作状態からなるタスクリストによって、利用者は、実行中のアプリケーション全ての動作状態を確認することができ、タスク切替を行うアプリケーションを判断することができる。
【００４３】
例えば、ショートメッセージを受信中のＳＭＳ（Ｓｈｏｒｔ　Ｍｅｓｓａｇｅ　Ｓｅｒｖｉｃｅ）アプリケーションをアクティブ化しようとする場合には、利用者が中央のＳＷキーを２方向に操作して、フォーカスを「ＳＭＳ受信中」に移動させた後、当該ＳＷキー３の押下操作により、アプリケーションを決定する（図中の（ｃ））。この様にして選択されたＳＭＳアプリケーションがアクティブ化され、画面表示部２を占有する（図中の（ｄ））。
【００４４】
図４の（ａ）及び（ｂ）は、図１の携帯電話機におけるタスク切替時の様子について、他の例を示した図である。タスクボタン４の操作によって、「新メッセージがあります」、「留守番電話サービス開始中」、「終話」、「ＳＭＳ受信中」、「スケジュール一覧表示中」という各アプリケーションの動作状態が表示されている（図中の（ａ））。
【００４５】
電子メールのアプリケーションが、新メッセージ（未読の受信メッセージ）があるという状態を表示しているため、当該アプリケーションにフォーカスＦを当てて選択すれば、電子メールのアプリケーションが画面表示部２を占有し、電子メールの閲覧を行うことができる（図中の（ｂ））。
【００４６】
図５の（ａ）及び（ｂ）は、図１の携帯電話機におけるタスク切替時の様子について、さらに他の例を示した図である。タスクボタン４の操作によって、図４の（ａ）と同様のタスクリストを表示させた状態（図５の（ａ））において、「スケジュール一覧表示中」と表示されたスケジュール管理のアプリケーションにフォーカスＦを当てて選択すれば、スケジュール管理のアプリケーションが画面表示部２を占有し、スケジュールの確認、編集等を行うことができる（図中の（ｂ））。
【００４７】
本実施の形態によれば、マルチタスク処理が可能な携帯端末の画面表示部に、タスクリストとして、実行中のアプリケーションの動作状況を一覧表示させることができる。このため、複数のアプリケーションについて順次にタスク切替を行って、それぞれの動作状態を確認するという煩雑な操作を行うことなく、各アプリケーションの動作状態を把握することができる。
【００４８】
特に、ＩＭＴ２０００携帯電話機の場合であれば、２以上の通信処理、例えば、通話をしながら、ブラウザを利用し、外部接続機器で通信しながら、ショートメッセージを受信するような並列処理が可能であるが、このような複数の通信機能の並列実行中においても、各々の通信状況を管理することができる。このため、各アプリケーションからのイベント発生ごとに、当該イベントによって起動され、画面表示部２を占有するような画面制御を行う必要がない。
【００４９】
また、タスクリストからアプリケーションを選択してタスク切替を行う際、煩雑な操作を行うことなく、各アプリケーションの動作状態を考慮してアプリケーションを決定することができる。特に、携帯電話機等のように画面表示部が狭く、択一的に選択されたアプリケーションが、画面表示部を占有する小型の携帯端末に好適である。
【００５０】
なお、本実施の形態では、動作中の各アプリケーションの動作状態を文字情報として表示する場合の例について説明したが、本発明は、このような場合に限定されない。例えば、動作中のアプリケーションによる画面表示の一部を表示し、利用者は、これらの表示のいずれかを選択するようにしてもよい。
【００５１】
また、本実施の形態では、アクティブ化されたアプリケーションが画面表示部２を占有する場合の例について説明したが、本発明はこの様な場合に限定されない。少なくとも画面表示部２に同時に表示可能な数よりも多くのアプリケーションが並列実行している場合に適用することができ、特に、択一的に選択された１つのアプリケーションが、画面表示部２の過半領域を占有する場合に好適である。
【００５２】
また、ＩＭＴ２０００用の携帯電話機等において、非同期で発生するイベントによりアプリケーションが起動された場合、後から発生したアプリケーションをタスクリスト上で優先的に表示させてもよい。例えば、リスト表示部１０４が、アプリケーションの起動時刻に基づいて、アプリケーションの動作状態の表示を並び替えてタスクリストを作成してもよい。この様にすれば、利用者は、イベント発生後に、新たに起動されたアプリケーションの動作状態をタスクリストで容易に確認し、利用者の必要性に応じて、適宜に、非同期に発生したアプリケーションへの切り替えを行うことができる。
【００５３】
【発明の効果】
本発明によれば、タスクリストにより、実行中のアプリケーションを表示するとともに、アプリケーションの動作状態を表示することができる。このため、利用者が簡単な操作でタスク管理を行うことができるマルチタスク処理が可能な携帯端末及び携帯通信端末を提供することができる。
【００５４】
また、本発明によれば、簡単な操作により、実行中の各アプリケーションの動作状態を表示することができるマルチタスク処理が可能な携帯通信端末を提供することができる。さらに、本発明によれば、簡単な操作により、各通信アプリケーションの動作状態を考慮して、通信アプリケーションのタスク切替等を行うことができるマルチタスク処理が可能な携帯通信端末を提供することができる。
【図面の簡単な説明】
【図１】本発明の実施の形態１による携帯電話機の外観の一例を示した図である。
【図２】図１の携帯電話機１の要部の一構成例を示したブロック図である。
【図３】（ａ）〜（ｄ）は、図１の携帯電話機におけるタスク切替時の様子の一例を示した図である。
【図４】（ａ）及び（ｂ）は、図１の携帯電話機におけるタスク切替時の様子について、他の例を示した図である。
【図５】（ａ）及び（ｂ）は、図１の携帯電話機におけるタスク切替時の様子について、さらに他の例を示した図である。
【図６】従来の情報端末（ＰＣ）によるタスクリスト表示の一例を示した図である。
【図７】従来の携帯情報端末（ＰＤＡ）によるタスクリスト表示の一例を示した図である。
【図８】マルチタスク処理可能な従来の携帯電話機の表示画面の一例を示した図である。
【符号の説明】
１　携帯電話機、２　画面表示部、３　ＳＷキー、４　タスクボタン、
５　ダイヤルキー、６　スピーカ、７　マイクロフォン、８　アンテナ、
１０　制御部、１１　無線部、１２　動作状態テーブル、
１００　タスク管理部、１０１　タスク切替部、
１０２　アプリケーション選択部、１０３　フォーカス移動処理部、
１０４　リスト表示部、１０５　入出力制御部、
１０６　アプリケーション実行処理部、
１０６ａ〜１０６ｃ　実行中アプリケーション、Ｆ　フォーカス
【図１】
2004062369.tif 000003
【図２】
2004062369.tif 000004
【図３】
2004062369.tif 000005
【図４】
2004062369.tif 000006
【図５】
2004062369.tif 000007
【図６】
2004062369.tif 000008
【図７】
2004062369.tif 000009
【図８】
2004062369.tif 000010